(57)【特許請求の範囲】
【請求項１】
バーチカルエレメントと、該バーチカルエレメントに位置決め可能に配置されているヘッドストッパーとを有し、該ヘッドストッパーが回り継手により前記バーチカルエレメントに対し相対回転可能に配置されている、人の身長測定装置において、
前記回り継手（３）の回転軸線（６）が前記バーチカルエレメント（１）の長手軸線（４）に対し傾斜して配置されていることを特徴とする身長測定装置。
【請求項２】
前記回転軸線（６）が水平方向に対し傾斜して延びていることを特徴とする、請求項１に記載の身長測定装置。
【請求項３】
前記回転軸線（６）が水平方向に対しほぼ４５゜の傾斜角を有していることを特徴とする、請求項２に記載の身長測定装置。
【請求項４】
前記回り継手（３）がピン（８）と２つの回転面（９，１０）とを有していることを特徴とする、請求項１から３までのいずれか一つに記載の身長測定装置。
【請求項５】
前記回転面（９）が前記バーチカルエレメント（１）と結合され、前記回転面（１０）が前記ヘッドストッパー（２）と結合されていることを特徴とする、請求項１から４までのいずれか一つに記載の身長測定装置。
【請求項６】
前記２つの回転面（９，１０）が前記回転軸線（６）に対しほぼ横方向に延びていることを特徴とする、請求項１から５までのいずれか一つに記載の身長測定装置。
【請求項７】
前記ヘッドストッパー（２）の長手軸線（５）が、基本位置において、前記バーチカルエレメント（１）の前記長手軸線（４）に対しほぼ平行に延びていることを特徴とする、請求項１から６までのいずれか一つに記載の身長測定装置。
【請求項８】
前記ヘッドストッパー（２）の前記長手軸線（５）が、動作位置で、前記バーチカルエレメント（１）の前記長手軸線（４）に対しほぼ横方向に延びていることを特徴とする、請求項１から７までのいずれか一つに記載の身長測定装置。
【請求項９】
前記バーチカルエレメント（１）に対する前記ヘッドストッパー（２）の少なくとも１つ相対位置に対してデテント機構が使用されていることを特徴とする、請求項１から８までのいずれか一つに記載の身長測定装置。
【請求項１０】
前記バーチカルエレメント（１）に対する前記ヘッドストッパー（２）の少なくとも１つ相対位置に対してアレスチング機構が使用されていることを特徴とする、請求項１から８までのいずれか一つに記載の身長測定装置。
【請求項１１】
前記バーチカルエレメント（１）が伸縮可能に形成されていることを特徴とする、請求項１から１０までのいずれか一つに記載の身長測定装置。
【請求項１２】
前記ヘッドストッパー（２）が前記バーチカルエレメント（１）に沿って移動可能に配置されていることを特徴とする、請求項１から１１までのいずれか一つに記載の身長測定装置。
【発明の詳細な説明】
【技術分野】
【０００１】
本発明は、バーチカルエレメントと、該バーチカルエレメントに位置決め可能に配置されているヘッドストッパーとを有し、該ヘッドストッパーが回り継手により前記バーチカルエレメントに対し相対回転可能に配置されている、人の身長測定装置に関するものである。
【背景技術】
【０００２】
この種の装置は、典型的には身長測定棒として形成されている。身長測定棒は足部を使用して自立していることができる。またこの種の身長測定棒は、たとえば壁または計量器等の担持構造物に固定することもできる。
【０００３】
測定される人間の所定位置を設定するため、および、測定結果の検知を支援するため、ヘッドストッパーが使用される。ヘッドストッパーは、装置のバーチカルエレメントに沿って移動可能であってよく、或いは、バーチカルエレメントの可動セグメントによって位置決めされてもよい。特許文献１は、バーチカルエレメントの可動セグメントを使用してこの種のヘッドストッパーを位置決めする例を記載している。
【０００４】
利用状態では、ヘッドストッパーはバーチカルエレメントに対しほぼ直角に延びている。装置をコンパクトに積み込むのを可能にするため、ヘッドストッパーはバーチカルエレメントに対し回動可能に配置することもできる。しかしながら、ヘッドストッパーを上下方向に回動させると、測定される人の邪魔になるのが通例である。
【先行技術文献】
【特許文献】
【０００５】
【特許文献１】独国特許出願公開第１９８０８４３２号明細書
【発明の概要】
【発明が解決しようとする課題】
【０００６】
本発明の課題は、利用者の便宜を阻害することなく、バーチカルエレメントの回動可能な配置が達成されるように、冒頭で述べた種類の装置を構成することである。
【課題を解決するための手段】
【０００７】
この課題は、回り継手の回転軸線がバーチカルエレメントの長手軸線に対し傾斜して配置されていることによって解決される。
【０００８】
回り継手の回転軸線がバーチカルエレメントの長手軸線に対し傾斜して配置されていることにより、回動運動の実施の際に利用者の方向へのヘッドストッパーの運動成分を回避させことが可能であり、或いは、空間的にわずかな範囲に限定することが可能である。従って、水平方向に延びる回転軸線を使用する場合に比べると、回動運動の際に利用者がヘッドストッパーを避ける必要がなくなる。
【０００９】
ヘッドストッパーのための揺動運動軌道は、特に、回転軸線が水平方向に対し傾斜して延びていることによって設定できる。
【００１０】
典型的な実施態様は、回転軸線が水平方向に対しほぼ４５゜の傾斜角を有していることによって提供される。
【００１１】
簡潔で堅牢な構成は、回り継手がピンと２つの回転面を有していることによって達成される。
【００１２】
１つの有利な構造的構成は、一方の回転面がバーチカルエレメントと結合され、他方の回転面がヘッドストッパーと結合されている点にある。
【００１３】
合目的な空間的配向は、両回転面が回転軸線に対しほぼ横方向に延びていることにある。
【００１４】
装置の省スペースな搬送を可能にするため、ヘッドストッパーの長手軸線は、基本位置において、バーチカルエレメントの長手軸線に対しほぼ平行に延びている。
【００１５】
正確で再現性のある身長測定は、ヘッドストッパーの長手軸線が、動作位置で、バーチカルエレメントの長手軸線に対しほぼ横方向に延びていることによって可能になる。
【００１６】
予め設定可能な位置決めは、バーチカルエレメントに対するヘッドストッパーの少なくとも１つ相対位置に対してアレスチング機構が使用されていることによって可能になる。
【００１７】
コンパクトな構成のためには、バーチカルエレメントおよび／またはヘッドストッパーが伸縮可能に形成されていることも寄与する。
【図面の簡単な説明】
【００１８】
図面には、本発明のいくつかの実施形態が図示されている。
【図１】回動可能なヘッドストッパーを備えた身長測定装置の正面図である。
【図２】上方に回動したヘッドストッパーの位置を破線で示した、図１のＩＩの方向に見た側面図である。
【図３】回り継手を実現するための１実施形態を示す図である。
【図４】ヘッドストッパーが上方へ回動した状態で示した図３の配置構成図である。
【発明を実施するための形態】
【００１９】
図１の実施形態によれば、身長測定装置はバーチカルエレメント（１）を有し、該バーチカルエレメントはヘッドストッパー（２）と可動に結合されている。ヘッドストッパー（２）とバーチカルエレメント（１）との結合は回り継手（３）を使用して行われる。図１はヘッドストッパー（２）を下方回動位置で示している。
【００２０】
図２は図１の構成を側面図で示している。ヘッドストッパー（２）のこの下方回動位置では、バーチカルエレメント（１）の長手軸線（４）とヘッドストッパー（２）の長手軸線（５）とは互いに実質的に平行に延在していることがわかる。これによってコンパクトな積み込みが可能になる。また、回り継手（３）の回転軸線（６）がバーチカルエレメント（１）の長手軸線（４）に対し傾斜して延びていることもわかる。図示した実施形態の場合、長手軸線（４）に対する回転軸線（６）の傾斜角（７）はほぼ４５゜である。回転軸線（６）はバーチカルエレメント（１）を起点として勾配をもって延びている。
【００２１】
図３は回り継手（３）の構造をより精密に示した説明図である。回り継手（３）は、ピン（８）と、互いに対向しあっている２つの回転面（９，１０）とから成っている。回転面（９）はバーチカルエレメント（１）と結合され、回転面（１０）はヘッドストッパー（２）と結合されている。
【００２２】
図示した実施形態では、回転面（９）と（１０）は平坦に構成され、回転軸線（６）に対し横方向に延在している。ピン（８）は回転軸線（６）の方向に延在している。
【００２３】
図３の実施形態によれば、バーチカルエレメント（１）は側部に突出部（１１）を有し、該突出部に回転面（９）が設けられている。
【００２４】
図４は、図３の配置構成を、ヘッドストッパー（２）を上方へ回動させた後の状態で示したものである。これは回転軸線（６）のまわりでの回動によって行う。図３の作動状態から回転運動を実施すると、ヘッドストッパー（２）はまず側部運動を実施し、次に揺動運動軌道に沿って図４の作動状態へ変位する。図３の位置および／または図４の位置はデテント機構によって設定され、或いは、固定されている。
【００２５】
前述した身長測定装置は単独の装置として使用でき、或いは、人間の体重を測定する体重計と組み合わせて使用することができる。身長情報の検知は、測定スケールを読み取ることにより、或いは、適当なセンサを使用した測定技術で視覚化することができる。測定した身長情報は、場合によっては評価装置へ伝送することができる。
【００２６】
回り継手（３）はたとえば伸縮可能なバーチカルエレメント（１）と固定結合されていてよい。しかし、バーチカルエレメント（１）上に可動に配置することも可能である。本発明による回り継手を使用するには、ヘッドストッパーを上方へ回動させる際、測定される人が身長測定装置の領域を離れる必要がない。むしろ、前記上方回動の際、ヘッドストッパーは利用者の頭部のまわりに円弧状の運動を実施する。
【００２７】
回転面（９，１０）を図示のように平坦に構成する代わりに、たとえば互いに噛み合うリング状のプロファイル部、或いは、球冠状に湾曲した回転面（９，１０）を使用することも可能である。すべての実施形態において重要なことは、回転軸線（６）がバーチカルエレメント（１）を起点として下方へ傾斜して延びていることである。
【図１】
0005760092.tif 000002
【図２】
0005760092.tif 000003
【図３】
0005760092.tif 000004
【図４】
0005760092.tif 000005